(57)【要約】【課題】レーザプローブのレーザ光放射端から被治療箇所である患部までの距離を所定の一定距離に保持可能とし、かつ、レーザ光の焦点距離を変更可能とし、もって、患部へのレーザ光照射範囲を容易に調整可能とする。【解決手段】レーザプローブ１０は、レーザ光発生素子と該レーザ光発生素子からのレーザ光の焦点距離を可変可能なレンズ機構とを有する。ガイド部材２０は、レーザプローブ１０のレーザ光放射端に着脱自在に装着され、前記レーザ光を通過させる所定長さを有する。調整器３０は、前記レーザ光の焦点距離を可変制御する複数の操作ボタン３１を有する。【選択図】図１
2013248323.tif 000002
【特許請求の範囲】
【請求項１】
レーザ光発生素子と該レーザ光発生素子からのレーザ光の焦点距離を可変可能なレンズ機構とを有するレーザプローブと、該レーザプローブのレーザ光放射端に着脱自在に装着され前記レーザ光を通過させる所定長さのガイド部材と、前記レーザ光の焦点距離を調整する調整器部とから成ることを特徴とするレーザ治療装置。
【請求項２】
レーザ光発生素子と該レーザ光発生素子からのレーザ光を集束して光ファイバ内に導入するレンズ系と前記レーザ光発生素子からの発生エネルギーを調整する調整手段とを有する調整器と、該調整器と光ファイバを通して連結され前記光ファイバを通して伝送されてきたレーザ光の焦点距離を調整するレンズ機構を有するレーザプローブと、該レーザプローブのレーザ光放射端に着脱自在に装着され前記レーザ光を通過させる所定長さのガイド部材とから成ることを特徴とするレーザ治療装置。
【請求項３】
前記ガイド部材は、前記所定長さの異なる複数のガイド部材からなり、これらが交換可能に前記レーザプローブに装着されることを特徴とする請求項１又は２に記載のレーザ治療装置。
【請求項４】
前記ガイド部材は、先端部が中空に形成され、該中空内に患部が含まれるよう前記先端部を患部に接し、前記レーザプローブからの前記レーザ光の照射距離を該ガイド部材の所定長さにすることを特徴とする請求項１乃至３のいずれか１に記載のレーザ治療装置。
【請求項５】
前記ガイド部材は、中空円錐状の部材であることを特徴とする請求項１乃至４のいずれか１に記載のレーザ治療装置。
【請求項６】
前記調整器部は、レーザ光の焦点距離を変更可能な複数の操作ボタンを有することを特徴とする請求項１乃至５のいずれか１に記載のレーザ治療装置。
【発明の詳細な説明】
【技術分野】
【０００１】
本発明は、レーザ治療装置、より詳細には、レーザプローブから被治療箇所である患部までのレーザ光照射距離を一定に保持可能とし、かつ、患部に対するレーザ光照射範囲が変更可能なレーザ治療装置に関する。
【背景技術】
【０００２】
レーザ治療装置は、レーザプローブの先端から患部にレーザ光を照射して生体組織の切開、切除、蒸散、凝固、止血、疼痛緩和、治癒促進等に使用されているが、現状では、術者がレーザプローブを手に持ち、レーザ光の照射範囲を手を動かして調整しており、そのため、手の振るえ等により照射範囲が変化してしまい、照射範囲を安定して保持することができなかった。
【発明の概要】
【発明が解決しようとする課題】
【０００３】
本発明は、上述のごとき実情に鑑みてなされたもので、レーザプローブのレーザ光放射端から被治療箇所である患部までの距離を所定の一定距離に安定に保持可能とし、かつ、レーザ光の焦点距離を変更可能とし、もって、患部へのレーザ光照射範囲を安定した状態で調整可能とすることを目的としてなされたものである。
【課題を解決するための手段】
【０００４】
本発明は、上記目的を達成するために、請求項１の発明は、レーザ光発生素子と該レーザ光発生素子からのレーザ光の焦点距離を可変可能なレンズ機構とを有するレーザプローブと、該レーザプローブのレーザ光放射端に着脱自在に装着され前記レーザ光を通過させる所定長さのガイド部材と、前記レーザ光の焦点距離を調整する調整器部とから成ることを特徴としたものである。
【０００５】
請求項２の発明は、レーザ光発生素子と該レーザ光発生素子からのレーザ光を集束して光ファイバ内に導入するレンズ系と前記レーザ光発生素子からの発生エネルギーを調整する調整手段とを有する調整器と、該調整器と光ファイバを通して連結され前記光ファイバを通して伝送されてきたレーザ光の焦点距離を調整するレンズ機構を有するレーザプローブと、該レーザプローブのレーザ光放射端に着脱自在に装着され前記レーザ光を通過させる所定長さのガイド部材とから成ることを特徴としたものである。
【０００６】
請求項３の発明は、請求項１又は２の発明において、前記ガイド部材は、前記所定長さの異なる複数のガイド部材からなり、これらが交換可能に前記レーザプローブに装着されることを特徴としたものである。
【０００７】
請求項４の発明は、請求項１乃至３のいずれか１の発明において、前記ガイド部材は、先端部が中空に形成され、該中空内に患部が含まれるよう前記先端部を患部に接し、前記レーザプローブからの前記レーザ光の照射距離を該ガイド部材の所定長さにすることを特徴としたものである。
【０００８】
請求項５の発明は、請求項１乃至４のいずれか１の発明において、前記ガイド部材は、中空円錐状の部材であることを特徴としたものである。
【０００９】
請求項６の発明は、請求項１乃至５のいずれか１の発明において、前記調整器部は、レーザ光の焦点距離を変更可能な複数の操作ボタンを有することを特徴としたものである。
【発明の効果】
【００１０】
本発明によると、ガイド部材によって、レーザプローブから患部までの距離を一定に保つことができ、かつ、レーザプローブとレーザ光の被照射位置である患部との相対的位置関を安定して保持することができるので、レーザ光を患部へ正確に照射することができ、しかも、レーザ光の患部に対する焦点距離を容易に調整することができるので、患部に対するレーザ光照射範囲を効果的に調整してより効率のよいレーザ治療を行うことができる。
【図面の簡単な説明】
【００１１】
【図１】本発明によるレーザ治療装置の一実施例を説明するための要部概略構成図である。
【図２】本発明の実施に使用するガイド部材の例を示す図である。
【発明を実施するための形態】
【００１２】
図１は、本発明によるレーザ治療装置の一実施例を説明するための要部概略構成を示す図で、１０は内部にレーザ光発生素子及び該レーザ光発生素子から放射されたレーザ光の焦点距離を調整するレンズ機構を有するレーザプローブ、２０は該レーザプローブ１０のレーザ光放射端に着脱自在に装着される所定長さのガイド部材で、治療に当って、術者は、該ガイド部材２０をレーザプローブ１０に装着し、該ガイド部材２０の先端を患部Ｋを含む患者の皮膚表面Ｆに接し、次いで、レーザ光を発生し、レンズ機構を調整して、レーザ光Ｌが患部Ｋに当る範囲を調整する。
【００１３】
上述のように、本発明によると、ガイド部材２０によって、レーザ光の照射位置を患部Ｋに正確に合せて照射することができ、レーザプローブ１０からの照射距離がガイド部材２０によって決められているので、術者はレーザプローブ１０内のレンズ機構を調整してレーザ光の焦点位置を調整することにより、患部Ｋに対するレーザ光の照射範囲及びエネルギー密度を調整して、患部Ｋの大きさ及び状態に適合したレーザ光照射を行うことができる。
【００１４】
ガイド部材２０として、長さの異なる複数個を準備し、患部Ｋの状態に応じて任意適切なものを選び、レーザプローブ１０に装着して使用するが、レンズ機構の焦点距離は、該選択したガイド部材の長さに応じて調整される。図１において、３０は、前記レンズ機構の焦点距離を調整する焦点距離調整器の一例を示す図で、例えば、該調整器３０の操作画面表示面３１には、ガイド部材２０の長さに対応した複数のスイッチが表示されており、レーザプローブ１０にガイド部材２０が装着されたとき、その装着されたガイド部材の長さに対応したスイッチ（ボタン）を押下することにより、前記レンズ機構が操作され、該装着されたガイド部材の長さに適合した焦点距離に調整される。
【００１５】
前記レンズ機構は、具体的には、例えば、電子レンズで構成され、前記調整器３０の表示面３１に表示された操作ボタンを押した時に、前記電子レンズに供給される電圧又は電流が選択され、電子レンズの焦点距離が調整される。照射範囲を広げたり、狭めたりする場合には、前記操作ボタンをもっと焦点距離の長いもの或いは短いものを選択し、これにより、患部の大きさ（面積）に応じてレーザ光の照射範囲を調整することができる。また、レーザ光の照射エネルギーを調整するには、例えば、調整器３０に電圧調整用のスライダ（又はボリューム）３２を設けておき、該スライダ（又はボリューム）３２を調整して、前記レーザ光発生素子に印加する電圧を調整し、該レーザ光発生素子からのレーザ光照射エネルギーを調整する。
【００１６】
図２は、ガイド部材２０の例を示す図で、図２（Ａ）は、中空透明の円錐体２１で構成され、上部にレーザプローブ１０のレーザ光放射端に連絡される連結部２２を有し、レーザ治療に当って、術者は、透明のガイド部材２０をレーザプローブ１０に装着し、該透明の円錐体２１を通して被治療箇所（患部）Ｋを見ながら治療を行うことができる。
【００１７】
図２（Ｂ）は、所定長さの複数本の支柱２３によって、連結部２３と被治療箇所Ｋとを所定距離に保つようにしたもので、好ましくは、先端部に、これら支柱２３の先端部を連結する連結部材２４を設けておくことにより、レーザ光の照射位置をより正確に確定し、しかも、患者の皮膚にやさしいガイド部材とすることができる。
【００１８】
なお、以上には、レーザ光発生素子をレーザプローブ１０内に設けた場合の例について説明したが、レーザ光発生素子を調整器３０内に設け、該レーザ光発生素子からのレーザ光を該調整器３０内に設けられたレンズ系を通して集束して光ファイバ内に導入し、該光ファイバ内に導入されたレーザ光を光ケーブルを通してレーザプローブ１０に伝達するようにしてもよい。この場合には、光ケーブルから放射されたレーザ光がレーザプローブ１０内に設けられた前述のレーザ光発生素子に相当し、以降、光ケーブルから放射されたレーザ光は、前記と同様にして、レーザプローブ１０内に設けられたレンズ機構によってその焦点が調整される。
【符号の説明】
【００１９】
１０…レーザプローブ、２０…ガイド部材、３０…調整器。
【図１】
2013248323.tif 000003
【図２】
2013248323.tif 000004